【手続補正書】
【提出日】平成27年2月24日(2015.2.24)
【手続補正１】
【補正対象書類名】特許請求の範囲
【補正対象項目名】全文
【補正方法】変更
【補正の内容】
【特許請求の範囲】
【請求項１】
設計帯域幅内においてガードサブキャリアの数を変化させることによって設定される無線通信システムのための設定可能な動作帯域幅に基づいて、使用可能なサブキャリアの数および前記ガードサブキャリアの数を決定するように、かつ複数の異なる動作帯域幅に対して前記設計帯域幅に基づいて選択される固定値である、１つの周期的なプリフィックスの長さに基づいて直交周波数分割多重（ＯＦＤＭ）シンボルを生成することを備える、前記使用可能なサブキャリア上で送信される伝送のための処理を行うように、構成されたプロセッサと、
前記プロセッサに結合されたメモリ、を備える装置。
【請求項２】
前記プロセッサは、前記使用可能なサブキャリアに変調シンボルをマップする、前記ガードサブキャリアにゼロのシンボルをマップする、かつ前記マップされた変調シンボルおよびゼロのシンボルに基づいて前記ＯＦＤＭシンボルを生成する、ように構成される、請求項１に記載の装置。
【請求項３】
前記プロセッサは、前記動作帯域幅に無関係である１つのサンプルレートで出力サンプルを生成するように構成される、請求項１に記載の装置。
【請求項４】
前記プロセッサは、前記使用可能なサブキャリアから受信シンボルを得る、前記ガードサブキャリアからの受信シンボルを廃棄する、かつ前記伝送において送信されたデータを再生するために前記使用可能なサブキャリアからの前記受信シンボルを処理する、ように構成される、請求項１に記載の装置。
【請求項５】
前記プロセッサは、前記動作帯域幅に無関係である１つのサンプルレートで受信サンプルを得る、かつ前記使用可能なサブキャリアおよびガードサブキャリアについての前記受信シンボルを得るために前記受信サンプルを処理する、ように構成される、請求項４に記載の装置。
【請求項６】
前記無線通信システムは、合計Ｋ個のサブキャリアに対応する設計帯域幅に関係している、そして、前記動作帯域幅は、Ｎ個の使用可能なサブキャリアに対応する、
ここで、Ｋ≧Ｎ＞１である、請求項１に記載の装置。
【請求項７】
前記Ｎ個の使用可能なサブキャリアは、前記合計Ｋ個のサブキャリアの中で中央に位置させられる、請求項６に記載の装置。
【請求項８】
前記ガードサブキャリアは、前記動作帯域幅の両側で均等に分散配置される、請求項１に記載の装置。
【請求項９】
前記無線通信システムは、単一の設計帯域幅に関係している、および、前記動作帯域幅は、前記設計帯域幅によってサポートされた１つの範囲の帯域幅から選択される、そして、前記プロセッサは、前記設計帯域幅用の複数のパラメータ値の１セットに基づいて前記伝送のための処理を行なうように構成される、請求項１に記載の装置。
【請求項１０】
前記無線通信システムは、複数の設計帯域幅に関係しており、各設計帯域幅は複数の帯域幅のそれぞれの範囲をサポートする、そして、前記プロセッサは、前記動作帯域幅をサポートする１つの設計帯域幅用の複数のパラメータ値の１セットに基づいて前記伝送のための処理を行なうように構成される、請求項１に記載の装置。
【請求項１１】
前記無線通信システムは、第１および第２の設計帯域幅に関係しており、そして、前記プロセッサは、前記動作帯域幅が第１の範囲内にある場合に、前記第１の設計帯域幅用のパラメータ値の第１のセットに基づいて前記伝送のための処理を行なうように、かつ前記動作帯域幅が前記第１の範囲より低い第２の範囲内にある場合に、前記第２の設計帯域幅用のパラメータ値の第２のセットに基づいて前記伝送のための処理を行なうように構成される、請求項１に記載の装置。
【請求項１２】
前記動作帯域幅は、前記無線通信システムに利用可能な周波数帯域幅に基づいて決定される、請求項１に記載の装置。
【請求項１３】
前記動作帯域幅は、前記無線通信システム用のスペクトルの放射マスクに基づいて決定される、請求項１に記載の装置。
【請求項１４】
前記動作帯域幅は、異なる数のガードサブキャリアおよび固定のＯＦＤＭシンボルの持続時間に関連した複数の帯域幅から選ばれる、請求項１に記載の装置。
【請求項１５】
設計帯域幅内においてガードサブキャリアの数を変化させることによって設定される無線通信システム用の設定可能な動作帯域幅に基づいて、使用可能なサブキャリアの数および前記ガードサブキャリアの数を決定することと、
複数の異なる動作帯域幅に対して前記設計帯域幅に基づいて選択される固定値である、１つの周期的なプリフィックスの長さに基づいて直交周波数分割多重（ＯＦＤＭ）シンボルを生成することを備える、前記使用可能なサブキャリア上で送信される伝送のための処理を行なうこと、を含む方法。
【請求項１６】
前記伝送のための処理を行うことは、
前記使用可能なサブキャリアへ変調シンボルをマップすることと、
前記ガードサブキャリアへゼロのシンボルをマップすることと、
前記マップされた変調シンボルおよびゼロのシンボルに基づいて前記ＯＦＤＭシンボルを生成することを含む、請求項１５に記載の方法。
【請求項１７】
前記伝送のための処理を行うことは、
前記使用可能なサブキャリアから受信シンボルを得ることと、
前記ガードサブキャリアからの受信シンボルを廃棄することと、
前記伝送において送信されたデータを再生するために前記使用可能なサブキャリアからの前記受信シンボルを処理することを含む、請求項１５に記載の方法。
【請求項１８】
設計帯域幅内においてガードサブキャリアの数を変化させることによって設定される無線通信システム用の設定可能な動作帯域幅に基づいて、使用可能なサブキャリアの数および前記ガードサブキャリアの数を決定するための手段と、
複数の異なる動作帯域幅に対して前記設計帯域幅に基づいて選択される固定値である、１つの周期的なプリフィックスの長さに基づいて直交周波数分割多重（ＯＦＤＭ）シンボルを生成することを備える、前記使用可能なサブキャリア上で送信される伝送のための処理を行なうための手段、
を備える装置。
【請求項１９】
前記伝送のための処理を行なうための前記手段は、
前記使用可能なサブキャリアに変調シンボルをマップするための手段と、
前記ガードサブキャリアにゼロのシンボルをマップするための手段と、
前記マップされた変調シンボルおよびゼロのシンボルに基づいて前記ＯＦＤＭシンボルを生成するための手段、
を備える請求項１８に記載の装置。
【請求項２０】
前記伝送のための処理を行なうための前記手段は、
前記使用可能なサブキャリアから受信シンボルを得るための手段と、
前記ガードサブキャリアからの受信シンボルを廃棄するための手段と、
前記伝送で送信されたデータを再生するために前記使用可能なサブキャリアからの前記受信シンボルを処理するための手段、を備える請求項１８に記載の装置。
【請求項２１】
設計帯域幅内においてガードサブキャリアの数を変化させることによって設定される無線通信システム用の設定可能な動作帯域幅、この動作帯域幅は異なる数のガードサブキャリアおよび固定の直交周波数分割多重（ＯＦＤＭ）シンボルの持続時間に関連した複数の帯域幅から選ばれたものである、に基づいて使用可能なサブキャリアの数および前記ガードサブキャリアの数を決定するように、かつ、複数の異なる動作帯域幅に対して前記設計帯域幅に基づいて選択される固定値である、１つの周期的なプリフィックスの長さに基づいてＯＦＤＭシンボルを生成することを備える、前記使用可能なサブキャリア上で送信される伝送、この伝送は前記固定の持続時間を持つＯＦＤＭのシンボルを含むものである、のための処理を行うように、構成されたプロセッサと、
前記プロセッサに結合されたメモリ、
を備える装置。